(57)【要約】【課題】ダクトを通過する流体を遮断するダクトの遮断方法および装置に関する。【解決手段】ダクトの上方または下方に設けられた昇降装置により、閉止板をフランジ間で上方または下方向に、ダクトの経路を遮断する所定の位置まで移動させる際、前記閉止板は、フランジの上方または下方に設けたガイド機構によりフランジ間に保持されつつ前記昇降装置によりダクトの上方または下方に移動し、前記ガイド機構は前記閉止板がダクトの経路を遮断する所定の位置まで移動後は、前記閉止板から離脱する。ダクトの経路を遮断する閉止板と、ダクトの上方または下方に設けた閉止板昇降装置と、フランジの上方または下方に設けたガイド機構を有し、前記ガイド機構は、前記閉止板をフランジ間に保持しつつ前記閉止板昇降装置で上方または下方に移動させる保持機構と、前記保持機構を前記閉止板に対して進退自由とする移動機構を備える。【選択図】図１
2009030929.tif 000002
【特許請求の範囲】
【請求項１】
ダクトの上方または下方に設けられた昇降装置により、閉止板をフランジ間で上方または下方向に、ダクトの経路を遮断する所定の位置まで移動させるダクトの遮断方法であって、前記閉止板は、フランジの上方または下方に設けたガイド機構によりフランジ間に保持されつつ前記昇降装置によりダクトの上方または下方に移動し、前記ガイド機構は前記閉止板がダクトの経路を遮断する所定の位置まで移動後は、前記閉止板から離脱することを特徴とするダクトの遮断方法。
【請求項２】
ダクトのフランジ間で閉止板を昇降させてダクトの経路を遮断する遮断装置であって、ダクトの経路を遮断する閉止板と、ダクトの上方または下方に設けた閉止板昇降装置と、フランジの上方または下方に設けたガイド機構を有し、前記ガイド機構は、前記閉止板をフランジ間に保持しつつ前記閉止板昇降装置で上方または下方に移動させる保持機構と、前記保持機構を前記閉止板に対して進退自由とする移動機構を備えていることを特徴とするダクトの遮断装置。
【発明の詳細な説明】
【技術分野】
【０００１】
本発明は、ダクトを通過する流体やガスを遮断するダクトの遮断方法および装置に関し、特に大径なダクトに好適なものに関する。
【背景技術】
【０００２】
ダクトの保守管理のため、作業者がダクト内部で設備点検をする場合、ダクトを通過する流体やガスを遮断することが必要となる。特に人体に有害なガスがダクト内を通過している場合は、作業区域全域において有害なガスを完全に排除し、大気と置換しなければならず、確実な遮断方法および装置が必要とされる。
【０００３】
特許文献１は、フランジが端部に固定された２本の管路を、両フランジ間で隔絶する閉止板に関し、両フランジ間に着脱自在に装着される閉止板が記載されている。閉止板は先端部が管断面積より大きな面積を有する円形の略団扇状で、管部より突出する把持部により着脱を容易としている。
【０００４】
特許文献２は、フランジが端部に固定された２本の管路を、両フランジ間に配置した遮断機構で、管断面と略同じ大きさの貫通孔を有する流通板と盲板を使分け、流通または遮断することが記載されている。
【０００５】
特許文献３には、フランジ継手間に挿入される、一端に流体通過孔が設けられ、他端が盲板となっている配管閉鎖用めがねフランジと、当該配管閉鎖用めがねフランジを回動させるレバーを備えたフランジ継手が記載されている。
【特許文献１】特開２００３−３２２２８９号公報
【特許文献２】実公昭６０−２０８７７号公報
【特許文献３】実開平１−１１３６９４号公報
【発明の開示】
【発明が解決しようとする課題】
【０００６】
ところで、作業員が管内に入り込んで、設備点検を行うような、ダクト径が４ｍを超える大径ダクトの場合、設置スペースや設備コストの観点よりゴックル弁や特許文献１〜３に記載された遮断方法や装置を適用することは難しく、緞帳式の閉止板が用いられている。
【０００７】
図３は緞帳式の閉止板３を用いた遮蔽装置を示し、ダクト１ａ，１ｂの管端で一対となるフランジ１１ａと１１ｂの間で閉止板６を昇降装置で上下方向に移動させる。閉止板６はダクト断面を覆う円形部６２と取っ手部６１を有し、取っ手部６１を昇降装置の駆動部７の回転軸８に吊り下げて矢印ｃのように上下方向に移動させる。
【０００８】
しかしながら、緞帳式の閉止板の場合、図４に示すように緞帳式の閉止板を挟んだ上流下流側のダクト１ａ，１ｂ間で圧力ａ，ｂで差が生じると、遮断させるため上方に引き揚げる途中で、ダクト内の吸引力ａ，ｂのうち吸引力の高いほうに引き寄せられ、ダクト１ａ，１ｂのフランジ１１ａ，１１ｂ等に閉止板の円形部６２が接触し、上方への引き揚げが出来ず遮断作業が中断される場合がある。
【課題を解決するための手段】
【０００９】
本発明の課題は以下の手段で達成可能である。
１．ダクトの上方または下方に設けられた昇降装置により、閉止板をフランジ間で上方または下方向に、ダクトの経路を遮断する所定の位置まで移動させるダクトの遮断方法であって、前記閉止板は、フランジの上方または下方に設けたガイド機構によりフランジ間に保持されつつ前記昇降装置によりダクトの上方または下方に移動し、前記ガイド機構は前記閉止板がダクトの経路を遮断する所定の位置まで移動後は、前記閉止板から離脱することを特徴とするダクトの遮断方法。
２．ダクトのフランジ間で閉止板を昇降させてダクトの経路を遮断する遮断装置であって、ダクトの経路を遮断する閉止板と、ダクトの上方または下方に設けた閉止板昇降装置と、フランジの上方または下方に設けたガイド機構を有し、前記ガイド機構は、前記閉止板をフランジ間に保持しつつ前記閉止板昇降装置で上方または下方に移動させる保持機構と、前記保持機構を前記閉止板に対して進退自由とする移動機構を備えていることを特徴とするダクトの遮断装置。
【発明の効果】
【００１０】
本発明によれば、ダクトのフランジ間に、閉止板を保持した状態で、昇降させるため、ダクトに閉止板が接触せず円滑に閉止板を移動させることが可能である。また、閉止板が所定の遮断位置に到達した際は、ダクトの一方に密着するため、ダクトの経路を確実に遮断することが可能で、作業時間や工場停止時間が拡大されることがなく産業上極めて有用である。
【発明を実施するための最良の形態】
【００１１】
以下、本発明を図面を用いて詳細に説明する。本発明に係る遮蔽装置は、図３に示す遮蔽装置、遮蔽板６を駆動装置７の回転軸８で吊り下げて、フランジ１１ａ，１１ｂの間で昇降させるものにガイド機構を付加したものである。
【００１２】
図１はガイド機構を説明する、ダクトの管路方向側面図で、図において２はガイド機構、３はガイドローラ、４は架台、５は先端にガイドローラ３を取り付けた油圧シリンダーを示し、図１と同じ符号のものは同じものを指す。
【００１３】
ガイド機構２は、閉止板６をフランジ１１ａ，１１ｂ間に保持しつつ閉止板昇降装置で上方または下方に移動させることが可能な保持機構と、前記保持機構を閉止板６に対して進退自由とする移動機構を有する。
【００１４】
保持機構はガイドローラ３とその軸受けなど回転機構（図示しない）で構成され、移動機構は架台４に取り付けられる、シリンダー軸の先端に保持機構を有する油圧シリンダー５で構成される。架台４自体もダクトの経路方向に移動可能とすることが望ましい。
【００１５】
架台４は閉止板６を上方に吊り上げる際、ダクト１ａに吸い寄せられて、フランジ１１ａ，１１ｂと接触しないよう、油圧シリンダー５のシリンダー軸を伸ばして、閉止板６に突き当てられるようにフランジ１１ａの下方に配置する。
【００１６】
油圧シリンダー５のシリンダー軸の先端にはガイドローラ３が取り付けられているので、閉止板６はフランジ１１ａ，１１ｂの間で保持されつつスムーズに上方に吊り上げることが可能である。
【００１７】
図２は図１に示すダクトの管径正面図で、ガイド機構２は、閉止板６がフランジ１１ａ，１１ｂに対して平行を保って吊り上げられるように、閉止板６の中央部６１に２台の油圧シリンダー５をその先端が閉止板６の同じ高さ方向の位置で左右に間隔を有して当接するように配置する。
【００１８】
ガイド機構２は、移動機構（油圧シリンダ５、架台４が移動機構を有している場合は当該移動機構）を有しているので、閉止板６の中央部６１がダクト１ａ，１ｂの経路を遮断する所定の位置まで移動後、保持機構（ガイドロール３）を閉止板６から離脱させ、閉止
板６がダクト１ａ，１ｂの負圧差（矢印ａ，ｂで示す）によってフランジ１１ａ，１１ｂのいずれかに密着した後、ボルト等で結合し、ダクトの経路を遮断させることが可能である。
【００１９】
尚、閉止板６の中央部６１がダクト１ａ，１ｂの経路を遮断する所定の位置とは、ダクト内の流体の流送が所望する程度に遮断できる位置で、例えば、製鐵所の排ガスを煙突から排出するダクトの場合は、中央部６１がダクト断面積の２/３以上を占める位置とすることが好ましい。
【００２０】
以上の説明は、ダクトの上方に設けられた昇降装置により、閉止板６をフランジ１１ａ，１１ｂ間で上方に移動させて、ダクト１ａ，１ｂの経路を遮断する場合について行ったが、閉止板６は、フランジ１１ａ（１１ｂ）の上方にガイド機構２を設けて下方に移動させて、ダクトを遮蔽しても良い。
【図面の簡単な説明】
【００２１】
【図１】本発明例。
【図２】図１に示す本発明例の正面図。
【図３】従来例。
【図４】図３に示す従来例での事故の発生状況を説明する図。
【符号の説明】
【００２２】
１ａ，１ｂ        ダクト
１１ａ、１１ｂ    フランジ
２                ガイド機構
３                先端ローラ
４                架台
５                油圧シリンダー
６                閉止板
６１              取っ手部
６２              円形部
７                駆動部
８                回転軸
【図１】
2009030929.tif 000003
【図２】
2009030929.tif 000004
【図３】
2009030929.tif 000005
【図４】
2009030929.tif 000006